【事件の表示】
　平成　４年特許願第３３９１８３号「電気粘性流体を利用した静電吸入記録装置及びその装置」拒絶査定不服審判事件〔平成　６年　３月　８日出願公開、特開平　６−　６４１７２〕について、次のとおり審決する。
【結　論】
　本件審判の請求は、成り立たない。
【理　由】
１．本願の経緯
　本願は、平成４年１２月１８日（パリ条約による優先権主張１９９２年６月３０日、大韓民国）の出願であって、平成１３年３月１６日付けで手続補正書が提出されたところ、平成１３年６月１４日付けで拒絶がされたため、これを不服として平成１３年９月２１日付けで本件審判請求がされるとともに、同日付けで手続補正書が提出された。当審において審理をした結果、平成１４年７月２日付けで拒絶の理由を通知したところ、平成１４年１０月９日付けで手続補正書が提出されたが、平成１３年３月１６日付けの手続補正、平成１３年９月２１日付けの手続補正、及び平成１４年１０月９日付けの手続補正は、いずれも当審において却下され、この補正の却下の決定は確定した。
　
　
２．本願発明の認定
　平成１３年３月１６日付けの手続補正、平成１３年９月２１日付けの手続補正、及び平成１４年１０月９日付けの手続補正はいずれも却下されたから、本願の請求項１に係る発明（以下「本願発明」という。）は、出願当初の明細書及び図面の記載からみて、その特許請求の範囲の請求項１に記載されたとおりの次のものと認める。
　
「　インクを噴射して願う画像を記録するにおいて、
　電気粘性を有するインクを貯蔵する噴射ヘッドのノズルに所定の電気場を作る記録電位を記録信号により印加して、そのノズルを経由するインクの粘度を変化させてそのインクの流れを制御し、同時にそのノズルと記録紙がガイドされる加速電極の間に所定電位の加速電位を印加して粘度が低くなったインクをそのノズルから加速電極に移動させ記録を行なうことを特徴とする電気粘性流体を利用した静電吸入記録方法。」
　
　
３．引用刊行物の記載事項
　原査定の拒絶の理由に引用された特開平２−１７８０５４号公報（以下「引用刊行物」という。）には、以下のア〜キの記載が図示とともにある。
　
ア．「１．電界により粘度が変化するインクを印字ヘッドに供給するインク供給手段と、印字ヘッドに設けられたインク吐出口と、このインク吐出口の近くに対向して設けられた対をなす信号電極と、この信号電極に画像信号に従って電圧を印加する印加手段と、インク吐出口の前方に設けられたインク吸引電極と、このインク吸引電極と吐出口との間に被記録体を供給する手段と、信号電極とインク吸引電極との間に電圧を印加する印加手段とを具えていることを特徴とする記録装置。」（特許請求の範囲）
イ．「この発明は、・・・電界により粘度が変化するインクを用いて、画像信号に従ってインクに印加される電界を制御して、インクの流れを制御することにより記録紙に画像を形成する記録装置に関する。」（第１頁左下欄第１８行〜同頁右下欄第４行）
ウ．「この発明の記録装置にあっては、画像信号に従って信号電極に電圧が印加されると、吐出口のインクが増粘し、この印加が解消すると電圧が印加されている吸引電極の吸引力により、インクが液滴となって被記録体に向って飛翔して印字を行う。」（第２頁左下欄第１２行〜同欄第１７行）
エ．「第１図において、１は先端に吐出口２を有し、内部に電界により固化し、または粘度が増大するインク３を保留している印字ヘッドを示し、・・・吐出口２には相対向して信号電極６，６’が設けられている。・・・８は吐出口２の前面において、図示しない搬送手段により直角方向に搬送される被記録部材を示し、この被記録部材８に関し、吐出口２と反対側にインク吸引用の吸引電極９が配置され、この吸引電極９は保持部材１０によって保持されている。１１は信号電極６，６’に、また１２は吸引電極９にそれぞれ電圧を印加する直流電源を示し、１３，１４はそれぞれ電圧印加回路に設けられたスイッチを示す。」（第２頁左下欄第１９行〜同頁右下欄第１５行）
オ．「記録装置は、画像の非成形時においてスイッチ１３，１４がオンとなって信号電極６，６’間に直流電源１１から所定電圧が印加され、印字ヘッド１の吐出口２近くのインクは固形化するか、または粘度増を起して吐出口２から吐出することがない。ついで画像を形成する際は、コンピュータ、ワードプロセッサ等から出力された画像信号が入力すると、スイッチ１３，１４がオフとなって直流電源１１から信号電極６，６’に印加される電圧が解除されるか、または所定電圧より低下し、これによって吐出口２のインクの粘性が低下する。一方吸引電極９には直流電源１２から所定の電圧が常時印加しており、この印加電圧により吐出口２内のインク３を吸引して吐出口２からインクを飛翔させ、記録紙８に画像を形成することとなる。」（第３頁左下欄第１３行〜同頁右下欄第９行）
カ．「この発明にあっては、凸状のメニスカスを作るために高い圧力を加える必要がないので、インクに高い圧力を加えてインクを吐出させる方式の記録装置に比べて、信号電極への低い電圧印加でインクの流れを停止することができる。」（第４頁左上欄第１８行〜同頁右上欄第３行）
キ．第１図から、吸引電極９を保持する保持部材１０が、吐出口２に対向する位置において記録紙８をガイドしている点を看取できる。
　
　
４．引用刊行物に記載された発明の認定
　上記記載事項ア〜キを含む引用刊行物の記載によれば、記録を行う記録装置について記載されていることから、当該記録装置を用いた記録方法についての発明をも把握することができる。
　したがって、引用刊行物には次の発明（以下「引用例発明」という。）が記載されているということができる。
　
「印字ヘッド１に電界により粘度が変化するインク３を保留しておき、印字ヘッド１の吐出口２の近くに相対向して設けられた信号電極６，６’に印加する電圧を画像信号に従って制御することにより、吐出口２近くのインク３に印加される電界を制御して、インク３の粘度を変化させその流れを制御するとともに、記録紙８に関して吐出口２と反対側に配置されたインク吸引用の吸引電極９に所定の電圧を常時印加して、この吸引電極９に印加する電圧により、粘性が低下した吐出口２内のインク３を吸引して吐出口２からインク３を飛翔させ、吸引電極９を保持する保持部材１０にガイドされた記録紙８に画像を形成する記録方法。」
　
５．本願発明と引用例発明との一致点及び相違点
　引用例発明の「電界により粘度が変化するインク３」、「印字ヘッド１」、「信号電極６，６’に印加する電圧」、「画像信号」、「記録紙８」、「吸引電極９に印加する電圧」、及び「吸引電極９」は、本願発明の「電気粘性を有するインク」、「噴射ヘッド」、「記録電位」、「記録信号」、「記録紙」、「加速電位」、及び「加速電極」に相当する。
　また、引用例発明の「画像」が、「願う画像」（言い換えると、「所望の画像」）であることは、言うまでもない。
　また、引用例発明の、吐出口２近くのインク３に電界を印加する構成は、本願発明の、「噴射ヘッドのノズルに所定の電気場を作る」構成に他ならない。
　さらに、引用例発明の「インク３」は、「電気粘性流体」であって、引用例発明の「記録方法」は、記録紙８に関して吐出口２と反対側に配置された吸引電極９に印加する電圧によって、インク３と吸引電極９との間に電界を形成し、インク３を吸引して吐出口２から飛翔させるのであるから、「電気粘性流体を利用した静電吸入記録方法」ということができる。
　したがって、本願発明と引用例発明とを比較すると、両者は、「インクを噴射して願う画像を記録するにおいて、電気粘性を有するインクを貯蔵する噴射ヘッドのノズルに所定の電気場を作る記録電位を記録信号により印加して、そのノズルを経由するインクの粘度を変化させてそのインクの流れを制御し、同時にそのノズルと加速電極の間に所定電位の加速電位を印加して粘度が低くなったインクをそのノズルから加速電極に移動させ記録を行なう、電気粘性流体を利用した静電吸入記録方法。」である点で一致し、次の点で相違する。
　
相違点：本願発明の「加速電極」が、記録紙をガイドする機能を有しているのに対して、引用例発明の「吸引電極９」は、保持部材１０に保持されており、当該保持部材１０が記録紙８をガイドする機能を有している点
　
　
６．当審の判断
　加速電極に印加した電圧によってインクに力を作用させてインクを飛翔させる記録方法において、加速電極に記録紙をガイドする機能を具備させることは、本願出願前に周知の技術（必要ならば、特開平２−２３５６４４号公報、特開昭６２−２７１７５３号公報、特開昭５８−１５１２６３号公報等参照。）であって、引用例発明の吸引電極９及び保持部材１０に代えて、上記周知の技術を採用することに、何ら阻害要因は存在しないから、相違点に係る本願発明の構成をなすことは、当業者が容易に想到し得たことである。
　したがって、本願発明は引用刊行物に記載された発明及び周知の技術に基づいて当業者が容易に発明できたものであるから、特許法２９条２項の規定により特許を受けることができない。
　
　
７．むすび
　本願発明が特許を受けることができない以上、本願のその余の請求項に係る発明について検討するまでもなく、本願は拒絶を免れない。
　よって、結論のとおり審決する。